(57)【要約】【課題】パンニング動作時における動画ボケやフリッカ現象を抑え、かつ高い同時性をもって映像表示される表示装置を備えた撮像装置を提供する。【解決手段】撮像装置１００は、撮像倍率を変更可能なレンズを備える撮像手段１０９と、撮像しようと狙った対象物を映像表示すると共に、表示画素の発光期間を調節可能な表示装置１０７と、撮像素子の動きを検出する角速度センサ１０１と、角速度センサ１０１の出力によりパンニング動作か否かを判定し、パンニング速度を出力するパンニング判定手段１０２と、撮像倍率を検出する撮像倍率検出手段１０３と、パンニング速度と撮像倍率のデータを用いて、表示画素の発光期間割合を決定する発光期間割合決定手段１０４と、発光期間割合決定手段１０７で決定された発光期間割合を用いて、表示装置１０７を駆動する表示装置駆動手段１０６と、を有する。【選択図】図１
2013258537.tif 000002
【特許請求の範囲】
【請求項１】
撮像倍率を変更可能なレンズを備える撮像手段と、
前記撮像手段で撮像しようと狙った対象物を映像表示すると共に、表示画素の発光期間を調節可能な表示装置と、
前記撮像手段に備えられた撮像素子の動きを検出する角速度センサと、
前記角速度センサの出力によりパンニング動作か否かを判定し、パンニング速度を出力するパンニング判定手段と、
前記レンズの撮像倍率を検出する撮像倍率検出手段と、
前記パンニング速度と前記撮像倍率のデータを用いて、前記表示装置の表示画素の発光期間割合を決定する発光期間割合決定手段と、
前記発光期間割合決定手段で決定された前記発光期間割合を用いて、前記表示装置を駆動する表示装置駆動手段と、
を有することを特徴とする撮像装置。
【請求項２】
前記パンニング判定手段は、
高周波成分を取り除いた回転方向波形からオフセットを差し引くオフセット除去部と、
前記オフセット除去部でオフセットを差し引いた回転方向波形を絶対値取得してプラス信号のみに変換する絶対値取得部と、
予め設定された閾値を基準としてパンニング動作を判定するリファレンス比較部と、
前記リファレンス比較部で前記パンニング動作と判定した場合は、前記絶対値取得部で取得したプラス信号をパンニング速度として出力するパンニング速度出力部と、
を有することを特徴とする請求項１に記載の撮像装置。
【請求項３】
前記発光期間割合決定手段は、発光期間割合の決定に必要な撮像情報を記憶する記憶装置を備えていることを特徴とする請求項１または２に記載の撮像装置。
【請求項４】
前記表示装置駆動手段は、前記表示装置の表示モードを設定する表示モード設定手段を備えることを特徴とする請求項１から３のいずれか１項に記載の撮像装置。
【請求項５】
前記表示装置は自発光型発光素子を前記表示画素として用いることを特徴とする請求項１から４のいずれか１項に記載の撮像装置。
【請求項６】
前記自発光型発光素子は有機ＥＬ素子であることを特徴とする請求項５に記載の撮像装置。
【請求項７】
撮像手段と表示装置を備えた撮像装置の画像表示方法であって、
前記表示装置に、前記撮像手段で撮像しようと狙った対象物の映像を表示する撮像表示ステップと、
前記撮像手段に備えられた撮像素子の動き検出する角速度検出ステップと、
前記角速度検出ステップで検出された角速度によりパンニング動作か否かを判定し、パンニング速度を出力するパンニング判定ステップと、
前記撮像手段に備えられたレンズの撮像倍率を検出する撮像倍率検出ステップと、
前記パンニング速度と前記撮像倍率のデータを用いて、前記表示装置の表示画素の発光期間割合を算出する発光期間割合決定ステップと、
前記発光期間割合決定ステップによって決定された発光期間割合を用いて、前記表示装置を駆動する表示装置駆動ステップと、
を有することを特徴とする撮像装置の画像表示方法。
【請求項８】
前記パンニング判定ステップは、
高周波成分を取り除いた回転方向波形からオフセットを差し引くステップと、
前記オフセットを差し引いた回転方向波形を絶対値取得してプラス信号のみに変換するステップと、
予め設定された閾値を基準としてパンニング動作を判定するステップと、
前記パンニング動作と判定した場合は、前記絶対値取得したプラス信号をパンニング速度として出力するステップと、
を有することを特徴とする請求項７に記載の撮像装置の画像表示方法。
【請求項９】
前記発光期間割合決定ステップは、記憶装置に記憶された発光期間割合の算出に必要な撮像情報を読み取って前記発光期間割合を算出することを特徴とする請求項７または８に記載の撮像装置の画像表示方法。
【請求項１０】
前記表示装置駆動ステップは、前記表示装置の表示モードの設定が可能であることを特徴とする請求項７から９のいずれか１項に記載の撮像装置の画像表示方法。
【発明の詳細な説明】
【技術分野】
【０００１】
本発明は、撮像しようと狙った対象物の映像を表示可能な表示装置を備えた撮像装置、及びその画像表示方法に関する。
【背景技術】
【０００２】
近年、有機エレクトロルミネッセンス（ＥＬ）素子等の自発光型デバイスを用いたフラットパネル型ディスプレイは、高速な動画表示や色再現性等の表示特性が良く、様々な用途の表示装置として脚光を浴びている。有機ＥＬ素子等を用いたフラットパネル型ディスプレイの用途の一つとしては、例えば、デジタルカメラやデジタルビデオカメラ等の撮像装置のファインダや背面モニタなどの撮像装置用ディスプレイが挙げられる。
【０００３】
撮像装置用ディスプレイによる動画表示の際には、各フレームやフィールドの発光期間割合（デューティ比）が大きいと残像が残り、動画の輪郭が惚ける「動画ボケ」が生じて動画質を低下させる。動画ボケを解消するためには、動画の表示速度に応じて発光期間割合を小さくし、画像分離を良くすることが必要である。
【０００４】
この点、有機ＥＬ素子等を用いたディスプレイは高速に発光をオン、オフできるため、発光期間割合を自由に制御することが可能であり、動画ボケの少ない切れのある画像表示を実現することができる。
【０００５】
一方、動画ボケを抑えるために発光期間割合を小さくすると、画面が点滅しているように見える「フリッカ現象」が生じてしまう。フリッカ現象は、表示画像によっても異なるが、発光期間割合が約５０％程度から知覚される場合がある。
【０００６】
そこで、これらの問題に対処するため、例えば、入力される映像データから動画の速度を検出して表示のための発光期間割合の値を制御するシステムが提案されている（特許文献１参照）。特許文献１の技術は、フレーム間画像を比較し動画速度を算出して相応の発光期間割合を制御するので動画ボケが抑えられ、かつ必要以上に発光期間割合を落とすことを要しないのでフリッカ現象も抑えられるとしている。
【先行技術文献】
【特許文献】
【０００７】
【特許文献１】特開２００６−３２３３００号公報
【発明の概要】
【発明が解決しようとする課題】
【０００８】
上述したように、デジタルカメラやデジタルビデオカメラ等の撮像装置用ディスプレイとしては、ファインダや背面モニタがある。これらの表示機能の一つとして、撮像しようと狙った対象物の映像が即時に表示される「ライブビュー」という機能がある。
【０００９】
ライブビュー機能は、表示映像を観ながら撮影構図を決めたり、シャッターチャンスを狙ったりするためのものである。したがって、撮像装置用ディスプレイには、動画の表示速さが求められる。特に動画表示の高速性が求められるのはパンニング時の表示である。パンニング時の表示は、撮像者が手元でレンズの向きを変えるだけで、表示画像全体が非常に高速に移動するため、映像が非常に高速に表示される。
【００１０】
特許文献１によれば、表示画像信号の解析により求めた動画の速度に基づいて発光期間割合を制御し、動画質を向上させることが開示されている。しかしながら、特許文献１の技術は、ＴＶモニタ等のコンテンツ表示用のディスプレイには向くが、デジタルカメラやデジタルビデオカメラ等の撮像装置用ディスプレイには応答性が悪く使用できない。
【００１１】
また特許文献１の技術は、動画速度を検出するためにフレーム間の画像比較を用いるので、画像比較を行うには少なくとも２フレームが必要である。したがって、当該動画速度の検出方法では、画像情報がディスプレイユニットに送られてきてから最低でも２フレーム期間の遅れが生じる。撮像装置用ディスプレイは、観察映像を高い同時性をもって表示する必要があり、複数フレームの遅延は使い勝手に大きく影響を与える。
【００１２】
本発明は、上記の事情に鑑みて創案されたものであり、パンニング動作時における動画ボケやフリッカ現象を抑え、かつ高い同時性をもって観察映像が表示される表示装置を備えた撮像装置、及びその画像表示方法の提供を目的とする。
【課題を解決するための手段】
【００１３】
上記目的を達成するための撮像装置は、撮像倍率を変更可能なレンズを備える撮像手段と、
上記撮像手段で撮像しようと狙った対象物を映像表示すると共に、表示画素の発光期間を調節可能な表示装置と、
上記撮像手段に備えられた撮像素子の動きを検出する角速度センサと、
上記角速度センサの出力によりパンニング動作か否かを判定し、パンニング速度を出力するパンニング判定手段と、
上記レンズの撮像倍率を検出する撮像倍率検出手段と、
上記パンニング速度と前記撮像倍率のデータを用いて、上記表示装置の表示画素の発光期間割合を決定する発光期間割合決定手段と、
上記発光期間割合決定手段で決定された上記発光期間割合を用いて、上記表示装置を駆動する表示装置駆動手段と、
を有することを特徴とする。
【発明の効果】
【００１４】
本発明によれば、パンニング動作時において、撮像装置のパンニング動作時のパンニング速度と撮像倍率のデータから表示画素の発光期間割合を決定するので、表示装置の発光期間をリアルタイムで見積もって制御ができる。したがって本発明は、パンニング動作時における動画ボケやフリッカ現象といった画質劣化を抑制し、映像入力から遅延することなく極めて高い同時性をもって、表示装置に映像表示することが可能になる。
【図面の簡単な説明】
【００１５】
【図１】本実施形態の撮像装置の構成を示すブロック図である。
【図２】パンニング判定手段の動作を示すブロック図である。
【図３】角速度センサからの出力の一例、およびパンニング判定手段からの出力の一例を示す説明図である。
【図４】撮像装置の望遠側と広角側におけるパンニング動作との関係を示す説明図である。
【図５】スクロール速度に対する動画ボケの度合いの関係を示す説明図である。
【図６】フリッカ認知度と動画ボケの発光期間割合との関係を示す説明図である。
【図７】スクロール速度に対する発光期間割合の設定例を示す説明図である。
【図８】スクロール速度に対する発光期間割合の設定例を示す説明図である。
【発明を実施するための形態】
【００１６】
以下、図面を参照して、本発明に係る撮像装置、及び撮像装置の画像表示方法の一実施形態を説明する。
【００１７】
＜撮像装置の構成＞
まず図１および図２を参照して、本実施形態の撮像装置の構成について説明する。図１は、本実施形態の撮像装置の構成を示すブロック図である。図２は、パンニング判定手段の動作を示すブロック図である。
【００１８】
図１に示すように、本実施形態の撮像装置１００は、角速度センサ１０１、パンニング判定手段１０２、撮像倍率検出手段１０３、発光期間割合決定手段１０４、記憶装置１０５を備える。さらに本実施形態の撮像装置１００は、表示装置駆動手段１０６、表示装置１０７、表示モード設定手段１０８及び撮像手段１０９を備える。以下、各構成要素を順に説明する。
【００１９】
角速度センサ１０１は、本実施形態の撮像装置１００に搭載されている不図示の撮像素子の動きを検出するセンサである。角速度センサ１０１は、撮像素子の予め定められた方向の角速度を検出し、角速度をパンニング判定手段１０２に出力する。
【００２０】
撮像素子としては、例えば、ＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）が挙げられる。角速度センサ１０１は、手振れ補正機能をもたせるために、デジタルカメラやデジタルビデオカメラ等の様々な撮像装置に既に搭載されている。
【００２１】
パンニング判定手段１０２は、角速度センサ１０１のセンサ出力からパンニング動作か否かを判定し、パンニング速度を発光期間割合決定手段１０４に出力する。ここで「パンニング」とは、映像の撮影技法の一つで、カメラの向きを振ることをいう。
【００２２】
パンニング判定手段１０２がパンニング動作と判定した場合は、発光期間割合決定手段１０４にパンニング速度を出力する。パンニング判定手段１０２がパンニング動作でないと判定した場合は、発光期間割合決定手段１０４にパンニング速度を０として出力する。
【００２３】
図２に示すように、パンニング判定手段１０２は、オフセット除去部２０１、絶対値取得部２０２、リファレンス比較部２０３及びパンニング速度出力部２０４を有する。
【００２４】
オフセット除去部２０１は、高周波成分を取り除いた回転方向波形からオフセットを差し引く。絶対値取得部２０２は、オフセット除去部２０１でオフセットを差し引いた回転方向波形を絶対値取得してプラス信号のみに変換する。リファレンス比較部２０３は、予め設定された閾値を基準としてパンニング動作を判定する。パンニング速度出力部２０４は、リファレンス比較部２０３でパンニング動作と判定した場合は、絶対値取得部２０２で取得したプラス信号をパンニング速度として出力する。なお、パンニング動作の具体的な判定方法については後述する。
【００２５】
再び図１を参照して、撮像倍率検出手段１０３は、撮影中のレンズの撮像倍率を検出し、発光期間割合決定手段１０４に撮像倍率を出力する。
【００２６】
発光期間割合決定手段１０４は、当該発光期間割合決定手段１０４に入力されるパンニング判定手段１０２からのパンニング速度と、撮像倍率検出手段１０３からの撮像倍率のデータを用いて、発光期間割合（発光デューティ）を算出する。発光期間割合決定手段１０４は、算出した発光期間割合を表示装置駆動手段１０６に出力する。
【００２７】
パンニング判定手段１０２、撮像倍率検出手段１０３及び発光期間割合決定手段１０４は、マイクロコンピュータ等の演算処理装置（制御部）により形成される。
【００２８】
記憶装置１０５は、発光期間割合決定手段１０４による発光期間割合の算出に用いるポイント情報や補完情報等の映像情報を予め蓄積している。記憶装置１０５としては、例えばＲＯＭ等の不揮発性メモリが挙げられる。
【００２９】
表示装置駆動手段１０６は、撮像手段１０９等からの映像信号を受け、表示装置１０７を駆動する。表示装置駆動手段１０６としては、例えば、インバータ回路が挙げられる。
【００３０】
表示装置１０７は、撮像しようと狙った対象物を映像表示する。表示装置１０７の表示画素は、発光期間が調節可能である。表示装置１０７の表示画素としては、例えば、有機ＥＬ素子等の自発光型発光素子を採用する。有機ＥＬ素子を用いたフラットパネル型ディスプレイは高速に発光をオン、オフできるため、発光期間割合を自由に制御することが可能であり、動画ボケの少ない切れのある画像表示を実現することができる。
【００３１】
表示モード設定手段１０８は、表示装置駆動手段１０６に設定した表示モードを出力する。表示モード設定手段１０８は、例えば、ライブビュー等のリアルタイムモニターモード、記録した動画や静止画を表示する再生モニターモード、撮影条件等を設定する機器設定モードのいずれかを表示装置駆動手段１０６に設定することができる。即ち、表示モード設定手段１０８の設定により、表示装置１０７の表示モードを切り替えることが可能である。リアルタイムモニターモード以外の表示モードは撮像素子のパンニング動作とは関係がないため、本発明はリアルタイムモニターモードにおいて適用される。
【００３２】
撮像手段１０９は、前述したように、ＣＣＤやＣＭＯＳ等の撮像素子を有する。また撮像手段１０９は、撮像素子の前方に、撮像倍率を変更可能なレンズを備えている。レンズとしては、望遠レンズや広角レンズ等が挙げられる。
【００３３】
＜撮像装置の動作、撮像装置の画像表示方法＞
次に、図１から図７を参照して、上記撮像装置１００の動作と共に、本実施形態の撮像装置１００の画像表示方法について説明する。
【００３４】
本実施形態の撮像装置１００の画像表示方法は、撮像表示ステップと、角速度検出ステップと、パンニング判定ステップと、撮像倍率検出ステップと、発光期間割合決定ステップと、表示装置駆動ステップと、を有する。
【００３５】
まず、撮像表示ステップは、ファインダや背面モニタ等の表示装置１０７に、撮像者が撮像手段１０９で撮像しようと狙った対象物の映像を表示する。
【００３６】
角速度検出ステップは、角速度検出センサ１０１により不図示の撮像素子の動きを検出して、表示装置１０７の表示画像の回転運動を検出する。
【００３７】
図３（ａ）は角速度センサの出力波形の一例を示す説明図、（ｂ）はパンニング判定手段からの出力の一例を示す説明図である。
【００３８】
一般的な角速度センサ１０１は、あるオフセット値Ｓ０を中心に、角速度に応じてＳ０との差で出力される。図３（ａ）では、Ｓ０よりも増加する方向に波形が出現している。Ｓ０よりも増加する方向の波形は、一定方向に表示画像の回転運動が起こっていることを示している。仮に、これと逆方向に表示画像の回転運動が起これば、波形はＳ０よりも減少する方向に出現する。
【００３９】
表示画像の回転運動の検出そのものは、図３（ａ）中の破線のようにある程度の高周波成分を含んでいる。この高周波成分は、電気的なノイズや手振れによるものである。パンニングの判定に必要な波形は、図３（ａ）中の実線の波形であり、電気的なノイズや手振れによる高周波成分をフィルタにより取り除いたものを角速度センサ１０１の出力として用いる。角速度センサ１０１の出力は、次のパンニング判定ステップで用いる。
【００４０】
本実施形態では、説明の便宜のため、例えば、左右のパンニングといった１軸方向を想定しているが、パンニングは表示画面の上下左右の合成で起こる。上下左右のパンニングを検出する場合には、角速度センサ１０１として内部に上下左右の２軸の角速度を測定できるデバイスを用いて、上下左右の角速度の合成（ベクトル和）の大きさとしてセンサ出力を求めてもよい。なお、撮像装置１００の上下の振れは「チルティング」ともいう。
【００４１】
パンニング判定ステップは、角速度センサ１０１で検出された角速度によりパンニング動作か否かを判定し、パンニング判定手段１０２にパンニング速度を出力する。
【００４２】
再び図２を参照して、パンニング動作の判定方法を説明する。パンニング判定ステップは、高周波成分を取り除いた回転方向波形からオフセットを差し引くステップ、及びオフセットを差し引いた回転方向波形を絶対値取得してプラス信号のみに変換するステップを有する。さらにパンニング判定ステップは、予め設定された閾値を基準としてパンニング動作を判定するステップ、及びパンニング動作と判定した場合は、絶対値取得したプラス信号をパンニング速度として出力するステップを有する。以下、パンニング判定ステップ、及びパンニング判定手段１０２の動作について具体的に説明する。
【００４３】
角速度センサ１０１のセンサ出力は、前述の通り、電気的なノイズや手振れといったパンニング動作ではない高周波成分が取り除かれている（図３（ａ）の実線参照）。この実線の波形からオフセット除去部２０１でオフセットＳ０を差し引くと、図３（ｂ）に示す波形となり、表示画像の回転方向によって正、負の区別のある波形ができる。
【００４４】
しかしながら、パンニング速度として表示画像の回転方向は区別する必要がないので、次の絶対値取得回路２０２ではプラス信号のみに変換する。
【００４５】
次に、パンニング判定手段１０２は、リファレンス比較部２０３によって、予め設定された閾値Ｐ０を基準として、Ｐ０より大きい場合をパンニング動作と判定する（図３（ｂ）参照）。これによって、図３（ｂ）の例では時刻ｔｍからｔｎまでがパンニングと判断される。
【００４６】
リファレンス比較部２０３は、パンニングを検出するとパンニング速度出力部２０４にパンニング判定信号を出力する。
【００４７】
パンニング速度出力部２０４では、パンニング動作時は絶対値取得回路２０２からの信号をそのままパンニング速度として出力する。パンニング動作でない場合、パンニング速度出力部２０４はパンニング速度として０を出力する。これによってパンニング判定手段１０２は、パンニング速度を次の発光期間割合決定手段１０４に出力する。
【００４８】
撮像倍率検出ステップは、撮像手段１０９に備えられたレンズの撮像倍率を検出し、次の発光期間割合決定手段１０４に撮像倍率を出力する。
【００４９】
発光期間割合決定ステップは、パンニング速度と撮像倍率のデータを用いて、表示装置１０７の表示画素の発光期間割合を算出する。即ち、発光期間割合決定ステップは、発光期間割合決定手段１０４に入力されるパンニング判定手段１０２からのパンニング速度と、撮像倍率検出手段１０３からの撮像倍率データとを用いて、発光期間割合（発光デューティ）を算出する。パンニング動作の場合の動画速度（以後スクロール速度という）は、パンニング動作の角速度の大きさもさることながら、撮像倍率も大きく影響する。
【００５０】
図４は、撮像装置の望遠側と広角側におけるパンニング動作との関係を示す説明図である。図４では、撮像装置１００と当該撮像装置１００がもつ画角のイメージが扇形で示されている。図４（ａ）の望遠側は、画角ｈ度のレンズ１１０がｎ度反時計回りに回転した場合を示す。図４（ｂ）の広角側は、画角ｍ度のレンズがｎ度反時計回りに回転した場合を示す。両方とも同じ単位時間でｎ度パンニングしたとすると、画面に映る動画の速度は広角側では１＋ｎ／ｍ、望遠側では１＋ｎ／ｈとなる。例えば、撮像倍率に３倍の差がある場合にはｍはｈの３倍となるので、一例としてｎ＝ｍで動かしたとすれば、その時には広角側は速度２、望遠側は速度４となり、表示画像は望遠側が広角側の倍のスクロール速度で動くことになる。
【００５１】
次に図５を参照して、動画のスクロール速度に対する動画ボケについて説明する。図５は、スクロール速度に対する動画ボケの度合いの関係を示す説明図である。
【００５２】
図５において、縦軸のＴＶ本とはテレビジョン画面の水平解像度を表す単位であり、画面の垂直方向の高さに等しい水平幅の中に、白黒の線が何本まで見分けられるかを表す。これは、スクロール速度が小さい場合には１００％の本数が見えていたものが、速度が大きくなるに従って動画ボケが起こり、１００％の本数が解像できなくなることを表している。
【００５３】
図５の１０〜６０％は、表示装置の発光期間割合を示す。例えば、発光期間割合が６０％の表示装置では、スクロール速度が０．５［ｓｃｒｅｅｎ／ｓｅｃ］の付近からＴＶ本が減り始める。これは発光期間割合６０％の表示装置がスクロール速度０．５［ｓｃｒｅｅｎ／ｓｅｃ］以上において動画ボケを生じることを示している。したがって、スクロール速度が速いパンニング動作などに対応する場合には、予め発光期間割合を小さくしておくことが考えられる。
【００５４】
ところが、発光期間割合を５０％より小さくすると、表示画像によってはフリッカ現象が観測され、画質が劣化する。これは、発光期間割合の減少に伴って非発光期間の割合が増加していくため、画面が高速に点滅してしまうように見える現象である。
【００５５】
次に図６を参照して、フリッカ認知度と動画ボケの発光期間割合との関係について説明する。図６は、フリッカ認知度と動画ボケの発光期間割合との関係を示す説明図である。
【００５６】
図６において、実線ｃ、ｆはフリッカ認知度（ｆ）とあるスクロール速度での動画ボケ（ｃ）の特性である。残りの点線の特性は、ｃと表示画像のスクロール速度が異なる場合の動画ボケ特性を示すものである。ａからｅに向かうに従ってスクロール速度が高くなっている。
【００５７】
ここで、フリッカ認知度ｆは所定の静止画像を発光期間割合を変化させて表示した際の官能評価アンケートの認知人数平均の割合から求めたもの、また動画ボケ量としては観測ＴＶ本の１００％からの低下量を用いている。
【００５８】
例えばｃの場合、発光期間割合が５０％の場合にはフリッカ認知度はほとんど０（Ａ’）であるが、動画ボケはＡのレベルにあり、動画ボケが大きくなってしまう。発光期間割合が２５％付近まで落ちた場合には動画ボケはほぼ０（Ｂ）になるが、フリッカ認知度がＢ’の位置まで上昇してしまう。
【００５９】
また、動画ボケの許容値を決めて（例えば図６のα）設定を行なうようにしてもよい。この場合、動画ボケはＣとなりフリッカ認知度はＣ’の値となる。
【００６０】
なお、ここでフリッカ認知度ｆは、前述の通り静止画を表示させて評価した場合である。一般的には動画表示の場合は動画の速度に応じてフリッカ現象を感じにくくなる傾向にあるため、図６のｆは最も敏感にフリッカ現象を感じる場合を示したものである。したがって、スクロール速度が増え、ａからｅの方向に動画ボケ特性が移った場合はそれに対するフリッカ認知度ｆも左側にシフトすると考えられる。
【００６１】
以上の特性を考えたうえで、発光期間割合はフリッカ認知度と動画ボケの値の両方の値のバランスによって決定するのがよい。このバランスは、撮像装置の目的等によって調整する。撮像素子の使用目的によっては、動画ボケに重点を置いたりフリッカ認知度に重点を置いたりするためである。
【００６２】
例えば、静止画中心のデジタルカメラ等では、動画ボケよりもフリッカ現象の抑制に重点を置く必要があるかもしれない。動画中心のデジタルビデオカムコーダ等では、多少のフリッカ現象は許容してでも動画ボケを抑え、スクロール動作時のピントの確認等に重点を置く設定をしてもよい。この設定は以下に説明するスクロール速度とその際設定する発光期間割合との関係で調整する。
【００６３】
次に図７を参照して、スクロール速度と発光期間割合の設定例について説明する。図７は、スクロール速度に対する発光期間割合の設定例を示す説明図である。
【００６４】
発光期間割合決定手段１０４の発光期間割合決定は、図７の設定を用いて行う。図７に示すように、検出スクロール速度が大きくなるに従って、発光期間割合が小さくなるように設定される。
【００６５】
検出スクロール速度をＶ１〜Ｖ４と比較して、その位置に応じてｄ１〜ｄ４もしくは１００％を設定するように演算される。上述のＶやｄのそれぞれの値は、予め前述の表示装置の使い方に応じて設定しておく。
【００６６】
図７の例では、４種類のポイント（Ｖ１〜Ｖ４）で切り替えるようになっているが、これらは４つである必要はなく、より多くのポイントを用意して、滑らかに変化させることも可能である。また、ポイント間を特定の演算により補完し算出することも可能である。
【００６７】
これらのポイント情報や補完情報は発光期間割合決定手段１０４に接続された記憶装置１０５に予め蓄積される。すなわち、発光期間割合決定ステップでは、記憶装置１０５に記憶された発光期間割合の算出に必要な撮像情報を読み取って発光期間割合を算出する。
【００６８】
また図８を参照して、スクロール速度と発光期間割合の他の設定例について説明する。本設定例では、図１の撮像装置１００を用いて、図８に示す波形で発光期間割合を制御した。なお、表示装置１０７には、有機ＥＬ素子を用いたフラットパネル型ディスプレイを用いた。
【００６９】
図８は、スクロール速度に対する発光期間割合の設定例を示す説明図である。図８に示すように、Ｖ０を３［ｓｃｒｅｅｎ／ｓｅｃ］とし、ｄ０を１５％として、スクロール速度０〜Ｖ０の間は直線で減少させて駆動したところ、通常撮影におけるパンニング動作時には動画ボケが検知されなかった。図８の設定例の撮像装置１００によれば、パンニング動作時において画質劣化のない切れのある映像表示が観察された。
【００７０】
発光期間割合決定手段１０４で決定された発光期間割合の信号は、次のパネル駆動手段１０６に出力される。
【００７１】
表示装置駆動ステップは、発光期間割合決定手段１０４で決定された発光期間割合を用いて、表示装置駆動手段１０６が表示装置１０７を駆動する。表示装置駆動手段１０６は、発光期間割合決定手段１０４から受け取った発光期間割合に応じて表示装置１０７の表示画素の発光の瞬時輝度を決定し、その瞬時輝度と受け取った発光期間割合を用いて次の表示装置１０７を駆動する。
【００７２】
表示装置駆動手段１０６は、発光期間割合が変動した場合でも、表示装置１０７の観た目の明るさが変わらないように、発光期間の瞬時輝度を調整して出力する。例えば、発光期間割合が半分になった場合は、表示画素の瞬時輝度を２倍にすることで表示装置１０７の見た目の明るさ（平均輝度）を一定にすることが可能となる。
【００７３】
表示装置駆動ステップにおいては、表示装置１０７の表示モードの設定が可能である。表示装置駆動手段１０６は、表示モード設定手段１０８によってライブビュー等のリアルタイムモニタのモードの際にのみ発光期間割合を変動させる。
【００７４】
以上説明したように、本実施形態の撮像装置１００及びその画像表示方法によれば、パンニング動作時において、撮像装置１００のパンニング動作時のパンニング速度と撮像倍率のデータから表示画素の発光期間割合を決定する。そのため、表示装置１００の発光期間をリアルタイムで見積もって映像表示の制御ができる。したがって本実施形態の撮像装置１００及びその画像表示方法は、パンニング動作時における動画ボケやフリッカ現象といった画質劣化を抑制し、映像入力から遅延することなく極めて高い同時性をもって、表示装置１００に映像表示することが可能になる。
【００７５】
以上、本発明の好適な実施形態を説明したが、これらは本発明の説明のための例示であり、本発明の範囲をこれらの実施形態にのみ限定する趣旨ではない。本発明は、その要旨を逸脱しない範囲で、上記実施形態とは異なる種々の態様で実施することができる。
【符号の説明】
【００７６】
１００  撮像装置、１０１  角速度センサ、１０２  パンニング判定手段、１０３  撮像倍率検出手段、１０４  発光期間割合決定手段、１０５  記憶装置、１０６  表示装置駆動手段、１０７  表示装置、１０８  表示モード設定手段、１０９  撮像手段、２０１  オフセット除去部、２０２  絶対値取得部、２０３  リファレンス比較部、２０４  パンニング速度出力部
【図１】
2013258537.tif 000003
【図２】
2013258537.tif 000004
【図３】
2013258537.tif 000005
【図４】
2013258537.tif 000006
【図５】
2013258537.tif 000007
【図６】
2013258537.tif 000008
【図７】
2013258537.tif 000009
【図８】
2013258537.tif 000010